(57)【特許請求の範囲】
【請求項１】
楽器ケース内に設けられた回路基板にヒートシンクを設け、このヒートシンクによって前記回路基板の熱を放熱する電子楽器の放熱構造において、
前記楽器ケースに譜面立て部材を取り付けための取付溝部を設け、この取付溝部の底部に、前記楽器ケースの内外に貫通する開口部を、前記回路基板に設けられた前記ヒートシンクに対応させて設けたことを特徴とする電子楽器の放熱構造。
【請求項２】
前記取付溝部における前記開口部に対応する箇所の底部には、前記ヒートシンクの熱を前記開口部に導いて放熱する放熱板が、前記ヒートシンクに対応して設けられていることを特徴とする請求項１に記載の電子楽器の放熱構造。
【請求項３】
前記放熱板には、その上下に貫通する孔部が、前記取付溝部の前記開口部に対応して設けられていることを特徴とする請求項２に記載の電子楽器の放熱構造。
【請求項４】
前記取付溝部内には、その内部に挿入した前記譜面立て部材の取付挿入部とこれに対向する前記取付溝部の内面との間に隙間を形成するためのリブ部が設けられていることを特徴とする請求項１〜請求項３のいずれかに記載の電子楽器の放熱構造。
【請求項５】
前記譜面立て部材には、前記放熱板で放熱された熱を伝導して放熱する熱伝導板が設けられていることを特徴とする請求項２または請求項３のいずれかに記載の電子楽器の放熱構造。
【発明の詳細な説明】
【技術分野】
【０００１】
この発明は、電子ピアノや電子オルガンなどの電子楽器の放熱構造に関する。
【背景技術】
【０００２】
従来、電子ピアノなどの電子楽器においは、特許文献１に記載されているように、楽器ケース内に設けられた回路基板に放熱板を設け、この放熱板によって回路基板の熱を楽器ケースの外部に放熱するように構成されたものが知られている。
【先行技術文献】
【特許文献】
【０００３】
【特許文献１】特開２００８−１７０４７７号公報
【発明の概要】
【発明が解決しようとする課題】
【０００４】
しかしながら、このような従来の電子楽器においては、放熱板によって回路基板の熱を楽器ケースの外部に放熱するために、楽器ケースに多数の放熱孔を設け、この多数の放熱孔を通して放熱板で放熱された熱を楽器ケースの外部に放熱する構成であるから、楽器ケースに設けられた多数の放熱孔に指や手が触れ易いため、火傷をする危険性があるほか、多数の放熱孔が楽器ケースの外部から見え易く、楽器ケースの外観が損なわれるため、外観的にもデザイン的にも好ましくないという問題がある。
【０００５】
この発明が解決しようとする課題は、火傷などに対する安全性が高く、且つ楽器ケースの外観およびデザインを損なうことなく、回路基板の熱を楽器ケースの外部に効率良く放熱することができる電子楽器の放熱構造を提供することである。
【課題を解決するための手段】
【０００６】
この発明は、上記課題を解決するために、次のような構成要素を備えている。
請求項１に記載の発明は、楽器ケース内に設けられた回路基板にヒートシンクを設け、このヒートシンクによって前記回路基板の熱を放熱する電子楽器の放熱構造において、前記楽器ケースに譜面立て部材を取り付けための取付溝部を設け、この取付溝部の底部に、前記楽器ケースの内外に貫通する開口部を、前記回路基板に設けられた前記ヒートシンクに対応させて設けたことを特徴とする電子楽器の放熱構造である。
【０００７】
請求項２に記載の発明は、前記取付溝部における前記開口部に対応する箇所の底部に、前記ヒートシンクの熱を前記開口部に導いて放熱する放熱板が、前記ヒートシンクに対応して設けられていることを特徴とする請求項１に記載の電子楽器の放熱構造である。
【０００８】
請求項３に記載の発明は、前記放熱板に、その上下に貫通する孔部が、前記取付溝部の前記開口部に対応して設けられていることを特徴とする請求項２に記載の電子楽器の放熱構造である。
【０００９】
請求項４に記載の発明は、前記取付溝部内に、その内部に挿入した前記譜面立て部材の取付挿入部とこれに対向する前記取付溝部の内面との間に隙間を形成するためのリブ部が設けられていることを特徴とする請求項１〜請求項３のいずれかに記載の電子楽器の放熱構造である。
【００１０】
請求項５に記載の発明は、前記譜面立て部材に、前記放熱板で放熱された熱を伝導して放熱する熱伝導板が設けられていることを特徴とする請求項２または請求項３のいずれかに記載の電子楽器の放熱構造である。
【発明の効果】
【００１１】
この発明によれば、回路基板で発生した熱をヒートシンクで放熱すると、この放熱された熱を楽器ケースの取付溝部における底部の開口部を通して楽器ケースの外部に放熱することができる。このため、回路基板の熱を楽器ケースの外部に効率良く放熱することができると共に、譜面立て部材を取り付けるための取付溝部を利用していることにより、取付溝部における底部の開口部に指や手が触れ難くいため、火傷などに対する安全性が高く、且つ取付溝部における底部の開口部が楽器ケースの外部から見え難く、楽器ケースの外観およびデザインが損なわれることがないため、外観的にもデザイン的にも好ましいものを提供することができる。
【図面の簡単な説明】
【００１２】
【図１】この発明を電子鍵盤楽器に適用した実施形態１の平面図である。
【図２】図１の電子鍵盤楽器のＡ−Ａ矢視における拡大断面図である。
【図３】図１の電子鍵盤楽器において上部ケースを取り除いた状態を示した平面図である。
【図４】図３のＡ部を示した拡大平面図である。
【図５】図２のＢ部を示した拡大断面図である。
【図６】図４のＢ−Ｂ矢視における拡大断面図である。
【図７】図４の放熱板を示した拡大平面図である。
【図８】図５の要部を更に拡大して示した断面図である。
【図９】図２の譜面立て部材を示し、（ａ）はその正面図、（ｂ）はそのＣ−Ｃ矢視における断面図である。
【図１０】図５において譜面立て部材を取り外した場合における放熱状態を示した要部の拡大断面図である。
【図１１】実施形態１の譜面立て部材の第１変形例を示し、（ａ）はその正面図、（ｂ）はそのＤ−Ｄ矢視における断面図である。
【図１２】この発明を電子鍵盤楽器に適用した実施形態２において要部を示した拡大断面図である。
【図１３】図１２の要部を更に拡大して示した断面図である。
【図１４】図１２の譜面立て部材の取付挿入部を分解して示した拡大断面図である。
【図１５】図１４の第２の熱伝導部材を示した拡大斜視図である。
【図１６】図１２の譜面立て部材を示し、（ａ）はその正面図、（ｂ）はそのＥ−Ｅ矢視における断面図である。
【図１７】実施形態２の第２の熱伝導部材の第２変形例を示し、（ａ）はその正面図、（ｂ）はそのＦ−Ｆ矢視における断面図である。
【図１８】この発明を電子鍵盤楽器に適用した第３変形例を示した拡大断面図である。
【発明を実施するための形態】
【００１３】
（実施形態１）
以下、図１〜図１０を参照して、この発明を電子鍵盤楽器に適用した実施形態１について説明する。
この電子鍵盤楽器は、図１および図２に示すように、楽器ケース１を備えている。この楽器ケース１は、下部ケース２と上部ケース３とからなり、全体が横長のほぼ箱形状に形成されている。
【００１４】
すなわち、下部ケース２は、図１〜図３に示すように、上方に開放された横方向（図１では左右方向）に細長い箱形状に形成されている。上部ケース３は、図１および図２に示すように、下部ケース２における後部側に対応するほぼ半分の大きさで、下側に開放された細長いほぼ箱形状に形成されて、下部ケース２の上部に取り付けられるように構成されている。
【００１５】
この場合、上部ケース３の長手方向（図１では左右方向）における両側部には、図１に示すように、上部ケース３の前端部（図１では手前側の端部）から下部ケース２の前端部に延びる一対のカバー部３ａが設けられている。これにより、楽器ケース１は、下部ケース２上に上部ケース３が取り付けられた状態で、上部ケース３および両側の一対のカバー部３ａを除いて、下部ケース２が上側に開放された構成になっている。
【００１６】
この楽器ケース１内には、図１〜図３に示すように、鍵盤部４が設けられている。この鍵盤部４は、図２に示すように、楽器ケース１の下部ケース２内に配置された鍵盤シャーシ５と、この鍵盤シャーシ５上に上下方向に回転可能に取り付けられた複数の鍵６とを備えている。この場合、複数の鍵６は、白鍵と黒鍵とからなり、これらが鍵盤シャーシ５上に音階順に配列された状態で、楽器ケース１の開放された部分から上側に露出するように構成されている。
【００１７】
また、この楽器ケース１には、図１に示すように、スピーカ部７、表示部８、およびスイッチ部９が設けられている。スピーカ部７は、楽音を発音するためのものであり、図１に示すように、鍵盤部４の後部側に位置する上部ケース３内の両側に設けられている。表示部８は、楽音情報を表示するものであり、上部ケース３の上面におけるほぼ中央部に設けられている。スイッチ部９は、音量調整や音色選択などの各種のスイッチを備え、上部ケース３におけるスピーカ部７および表示部８を除く箇所に分散して設けられている。
【００１８】
また、上部ケース３の上面における後部（図１では上辺部）には、図１および図２に示すように、譜面立て部材１０を着脱可能に取り付けるための取付溝部１１が設けられている。この取付溝部１１は、図１および図２に示すように、上部ケース３の後辺部（図１では上辺部）に沿って細長く形成された凹溝であり、その底部１２における中間部分のみに開口部１２ａが上部ケース３の上下方向に貫通して設けられた構成になっている。
【００１９】
さらに、この上部ケース３内における後部には、図３に示すように、複数の回路基板１３、１４が鍵盤部４の後方に位置した状態で、譜面立て部材１０の取付溝部１１に沿って設けられている。すなわち、この複数の回路基板１３、１４は、図２および図５に示すように、上部ケース３内における下面に設けられた複数の取付ボス１５にビス１５ａによってほぼ水平な状態でそれぞれ取り付けられている。
【００２０】
この複数の回路基板１３、１４のうち、１つの回路基板１３は、楽器全体を電気的に制御駆動するためのメイン基板であり、他の回路基板１４は、補助的な回路基板である。メインの回路基板１３には、図２〜図５に示すように、回路基板１３の熱を放熱すためのヒートシンク１６が、上部ケース３の取付溝部１１における底部１２の開口部１２ａに対応した状態で、その下側に設けられている。
【００２１】
これにより、ヒートシンク１６は、図１０に示すように、放熱した熱が上部ケース３の取付溝部１１における底部１２の開口部１２ａを通して上部ケース３の上方に放熱されるように構成されている。この場合、取付溝部１１の開口部１２ａに対応する箇所の底部１２の下面には、図２〜図５に示すように、放熱板１７がヒートシンク１６に対応して設けられている。
【００２２】
この放熱板１７は、熱伝導性の高い金属板からなり、図３および図４に示すように、ヒートシンク１６の上面全体の大きさよりも少し大きい長方形状に形成されている。すなわち、この放熱板１７は、図４および図７に示すように、取付溝部１１の長手方向に沿う長さが開口部１２ａの長さとほぼ同じ長さで、且つ取付溝部１１の長手方向と直交する方向の長さが開口部１２ａの幅の４倍程度の長さのほぼ長方形状に形成されている。
【００２３】
この場合、放熱板１７における取付溝部１１の底部１２の開口部１２ａに対応する箇所には、図４および図７に示すように、一対の取付突起部１７ａが放熱板１７の横方向（図４では左右方向）における両側に突出して設けられている。この一対の取付突起部１７ａは、図６に示すように、取付溝部１１の底部１２における開口部１２ａに沿って、その両側に延び、この延びた両端部が下側に向けてほぼＬ字形状に折り曲げられて、取付溝部１１の底部１２の下側に配置されるように構成されている。
【００２４】
この放熱板１７は、図４〜図６に示すように、そのほぼ長方形状の四隅が上部ケース３内における下面に設けられた４つの取付ボス１８ａにビス１９によってそれぞれ取り付けられている。また、この放熱板１７は、一対の取付突起部１７ａが取付溝部１１の開口部１２ａの両側に位置する底部１２の下面に設けられた取付ボス１８ｂにビス１９によって取り付けられている。
【００２５】
これにより、この放熱板１７は、図１０に示すように、ヒートシンク１６で放熱された熱を取付溝部１１の開口部１２ａに向けて伝導し、この伝導した熱を取付溝部１１における底部１２の開口部１２ａから取付溝部１１内に向けて放熱するように構成されている。すなわち、この放熱板１７は、図１０に示すように、取付溝部１１における底部１２の開口部１２ａに対応する箇所が取付溝部１７内を通して楽器ケース１の外気によって冷やされることにより、ヒートシンク１６で放熱された熱を取付溝部１１の開口部１２ａに向けて伝導するように構成されている。
【００２６】
また、この放熱板１７における取付溝部１１における底部１２の開口部１２ａに対応する箇所には、図４および図７に示すように、一対の取付突起部１７ａの両端部を除いて、多数の小孔２０がパンチング加工やプレス加工によって上下に貫通して形成されている。これにより、放熱板１７は、取付溝部１１の底部１２における開口部１２ａに対応する箇所の表面積が、多数の小孔２０によって十分に広くなるよう構成されている。
【００２７】
一方、取付溝部１１には、図２および図５に示すように、譜面立て部材１０の下部に位置する取付挿入部１０ａが挿入することにより、譜面立て部材１０が楽器ケース１上に起立した状態で取り付けられるように構成されている。この場合、取付溝部１１内には、図８に示すように、譜面立て部材１０の取付挿入部１０ａとこれに対向する取付溝部１１の内面との間に隙間Ｓを形成するためのリブ部２１が設けられている。
【００２８】
これにより、取付溝部１１は、図５および図８に示すように、その内部に譜面立て部材１０の取付挿入部１０ａが挿入されても、この取付挿入部１０ａとこれに対向する取付溝部１１の内面との間に設けられた隙間Ｓを通して取付溝部１１内に放熱された熱を上部ケース３の上方に放熱するように構成されている。
【００２９】
ところで、譜面立て部材１０は、図２、図５および図９に示すように、取付溝部１１内から上部ケース３の前側上方に向けて少し湾曲して取付溝部１１内に挿脱可能に挿入する取付挿入部１０ａと、この取付挿入部１０ａの上端部から上部ケース３の後部側に向けて斜め下側に傾斜する譜面受け部１０ｂと、この譜面受け部１０ｂの後端部から上部ケース３の斜め後側上方に向けて延びた譜面立て掛け部１０ｃとを備えている。
【００３０】
これにより、譜面立て部材１０は、図２、図５および図９に示すように、その下部の取付挿入部１０ａを上部ケース３の取付溝部１１内に上方から挿入することにより、譜面立て掛け部１０ｃが上部ケース３の後部側に傾いた状態で、上部ケース３上に起立して取り付けられ、この状態で譜面受け部１０ｂ上に譜面（図示せず）を載せて譜面立て掛け部１０ｃに立てかけることにより、譜面が配置されるように構成されている。
【００３１】
次に、このような電子鍵盤楽器の放熱構造の作用について説明する。
まず、譜面立て部材１０を用いずに演奏する場合について説明する。この場合には、図１０に示すように、上部ケース３に設けられた取付溝部１１が上部ケース３の上方に開放されている。この状態で回路基板１３が発熱すると、その熱がヒートシンク１６によって楽器ケース１内で放熱される。
【００３２】
このヒートシンク１６で放熱された熱は、図１０に示すように、その上側に配置された放熱板１７に伝わり、この放熱板１７によって上部ケース３の取付溝部１１に向けて伝導される。すなわち、この放熱板１７は、取付溝部１１の底部１２に設けられた開口部１２ａに対応して配置されているので、取付溝部１１における底部１２の開口部１２ａを通過した楽器ケース１の外気によって冷やされることにより、放熱板１７の熱を取付溝部１１における底部１２の開口部１２ａに向けて伝達する。
【００３３】
これにより、放熱板１７は、ヒートシンク１６で放熱された熱を取付溝部１１における底部１２の開口部１２ａに向けて放熱する。この場合、放熱板１７には、多数の小孔２０が取付溝部１１における底部１２の開口部１２ａに対応して設けられていることにより、この部分における放熱板１７の表面積を多数の小孔２０によって十分に広くすることができるので、多数の小孔２０が設けられた箇所の放熱板１７の熱交換性を高めることができる。
【００３４】
このため、取付溝部１１における底部１２の開口部１２ａを通過した楽器ケース１の外気によって、多数の小孔２０が設けられた箇所の放熱板１７が十分に冷やされる。これにより、ヒートシンク１６で放熱された熱が、放熱板１７によって取付溝部１１における底部１２の開口部１２ａに向けて効率良く確実に導かれる。
【００３５】
この導かれた熱は、多数の小孔２０ａが設けられた箇所の放熱板１７の全表面から取付溝部１１における底部１２の開口部１２ａを通して取付溝部１１内に放熱される。また、ヒートシンク１６で放熱された熱のうち、一部の熱は、放熱板１７の多数の小孔２０をそのまま通過して取付溝部１１の開口部１２ａを通して取付溝部１１内に放熱される。このように取付溝部１１内に放熱された熱は、取付溝部１１内を通して上部ケース３の上方に放熱される。
【００３６】
次に、上部ケース３の取付溝部１１に譜面立て部材１０を取り付けて演奏する場合にいて説明する。この場合には、譜面立て部材１０の取付挿入部１０ａを上部ケース３の取付溝部１１に挿入すると、譜面立て部材１０が上部ケース３に起立して取り付けられる。この状態では、取付溝部１１内に設けられたリブ部２１によって、取付溝部１１の内面と譜面立て部材１０の取付挿入部１０ａとの間に隙間Ｓが形成される。
【００３７】
このため、演奏中に回路基板１３が発熱すると、上述したように、その熱がヒートシンク１６および放熱板１７を経て取付溝部１１内に放熱される。このとき、取付溝部１１内に放熱された熱は、取付溝部１１内に譜面立て部材１０の取付挿入部１０ａが挿入されていても、譜面立て部材１０の取付挿入部１０ａとこれに対向する取付溝部１１の内面との間に設けられた隙間Ｓを通して上部ケース３の上方に放熱される。
【００３８】
このように、この電子鍵盤楽器の放熱構造によれば、楽器ケース１の上部ケース３に譜面立て部材１０を取り付けための取付溝部１１を設け、この取付溝部１１の底部１２に、上部ケース３の内外に貫通する開口部１２ａを、回路基板１３に設けられたヒートシンク１６に対応させて設けたので、回路基板１３で発生した熱をヒートシンク１６で放熱すると、その熱を上部ケース３の取付溝部１１における底部１２の開口部１２ａから取付溝部１１内を通して上部ケース３の上方に放熱することができる。
【００３９】
このため、回路基板１３で発生した熱を効率良く楽器ケース１の外部に放熱することができると共に、譜面立て部材１０を取り付けるための取付溝部１１を利用していることにより、取付溝部１１における底部１２の開口部１２ａに指や手が触れ難くいため、火傷をする危険性が少なく、火傷などに対する安全性が高いほか、取付溝部１１における底部１２の開口部１２ａが外部から見え難いので、楽器ケース１の外観やデザインが損なわれることがなく、外観的にもデザイン的にも好ましいものを提供することができる。
【００４０】
この場合、取付溝部１１における開口部１２ａに対応する箇所の底部１２には、ヒートシンク１６の熱を取付溝部１１の開口部１２ａに導いて放熱する放熱板１７が、ヒートシンク１６に対応して設けられていることにより、ヒートシンク１６で放熱された熱を放熱板１７によって上部ケース３の取付溝部１１における底部１２の開口部１２ａに向けて効率良く伝導することができる。
【００４１】
すなわち、この放熱板１７は、取付溝部１１の開口部１２ａに対応する箇所の底部１２に配置されているので、楽器ケース１の外気を取付溝部１１における底部１２の開口部１２ａから取り込むことができ、この取り込んだ外気によって放熱板１７における開口部１２ａと対応する箇所を確実に且つ良好に冷やすことがき、これにより放熱板１７の熱を取付溝部１１における底部１２の開口部１２ａに向けて確実に且つ良好に伝達して取付溝部１１内に放熱することができる。
【００４２】
また、放熱板１７には、その上下に貫通する多数の小孔２０が、取付溝部１１における底部１２の開口部１２ａに対応して設けられているので、この多数の小孔２０が設けられた部分における放熱板１７の表面積を多数の小孔２０によって十分に広くすることができ、これにより熱交換性を高めることができるので、効率良く放熱板１７によって放熱させることができる。
【００４３】
すなわち、この放熱板１７は、多数の小孔２０が設けられた部分が、取付溝部１１における底部１２の開口部１２ａを通過した楽器ケース１の外気によって十分に冷やされることにより、ヒートシンク１６で放熱された熱を放熱板１７によって効率良く取付溝部１１における底部１２の開口部１２ａに向けて伝達することができる。
【００４４】
これにより、ヒートシンク１６で放熱された熱を、図１０に示すように、放熱板１７によって取付溝部１１における底部１２の開口部１２ａから取付溝部１１内に放熱することができると共に、ヒートシンク１６で放熱された熱を、放熱板１７の多数の小孔２０ａを通してそのまま取付溝部１１内に放熱することができる。
【００４５】
また、取付溝部１１の内面には、この取付溝部１１内に挿入された譜面立て部材１０の取付挿入部１０ａとこれに対向する取付溝部１１の内面との間に隙間Ｓを形成するためのリブ部２１が設けられていることにより、取付溝部１１に譜面立て部材１０の取付挿入部１０ａを挿入させて譜面立て部材１０を上部ケース３に取り付けても、楽器ケース１内から取付溝部１１内に放熱された熱を、譜面立て部材１０の取付挿入部１０ａとこれに対向する内面との間に設けられた隙間Ｓによって、上部ケース３の外部に確実に放熱することができる。
【００４６】
なお、上述した実施形態１では、譜面立て部材１０の取付挿入部１０ａが単純なほぼ平板状に形成されている場合について述べたが、これに限らず、例えば図１１（ａ）および図１１（ｂ）に示された第１変形例のように、譜面立て部材１０の取付挿入部１０ａに、切欠き部２５を放熱板１７に対応させて設けても良い。この場合、切欠き部２５は、上部ケース３の取付溝部１１における底部１２から上部ケース３の上方に位置する箇所に亘って設けられている。
【００４７】
このように構成すれば、上部ケース３の取付溝部１１内に譜面立て部材１０の取付挿入部１０ａを挿入させて、上部ケース３上に譜面立て部材１０を取り付けても、放熱板１７によって取付溝部１１内に放熱された熱を、譜面立て部材１０の取付挿入部１０ａに設けられた切欠き部２５によって、上部ケース３の上方に放熱することができる。この場合には、必ずしも取付溝部１１内にリブ部２１を設けて譜面立て部材１０の取付挿入部１０ａとこれに対向する取付溝部１１の内面との間に隙間Ｓを設ける必要がないため、取付溝部１１の構造が簡単になり、上部ケース３を容易に成形することができる。
【００４８】
（実施形態２）
次に、図１２〜図１６を参照して、この発明を電子鍵盤楽器に適用した実施形態２について説明する。なお、図１〜図１０に示された実施形態１と同一部分には同一符号を付して説明する。
この電子鍵盤楽器は、譜面立て部材１０の取付挿入部３０が実施形態１と異なる構成であり、これ以外は実施形態１とほぼ同じ構成になっている。
【００４９】
すなわち、譜面立て部材１０の取付挿入部３０は、図１２〜図１４に示すように、その下端部に設けられた弾力性を有する第１の熱伝導部材３１と、取付挿入部３０の後面（図１０では左側面）に設けられた第２の熱伝導部材３２とを備えている。第１の熱伝導部材３１は、柔軟性に富む熱伝導性エラストマによって形成されている。この熱伝導性エラストマとしては、例えばシリコーンエラストマに熱伝導性の充填材としてチッ化ボロンを含有させた熱拡散性の高い材料である。
【００５０】
この第１の熱伝導部材３１は、図１３および図１６に示すように、譜面立て部材１０の取付挿入部３０の下端部に、取付溝部１１における底部１２の開口部１２ａと対応して設けられている。これにより、第１の熱伝導部材３１は、図１２および図１３に示すように、譜面立て部材１０の取付挿入部３０が上部ケース３の取付溝部１１内に挿入された際に、第１の熱伝導部材３１の下面が、取付溝部１１における底部１２の開口部１２ａを通して、放熱板１７の上面に弾接することにより、放熱板１７で放熱された熱を第２の熱伝導部材３２に伝達すると共に、取付溝部１１内に放熱するように構成されている。
【００５１】
また、第２の熱伝導部材３２は、アルミニウムや銅などの熱伝導性の高い金属からなり、図１３および図１６に示すように、取付溝部１１における底部１２の開口部１２ａと対応する譜面立て部材１０の取付挿入部３０の箇所に、第１の熱伝導部材３１の上部から上部ケース３の取付溝部１１の上方に位置する箇所に亘って設けられている。
【００５２】
これにより、第２の熱伝導部材３２は、図１２および図１３に示すように、譜面立て部材１０の取付挿入部３０が上部ケース３の取付溝部１１内に挿入された際に、第１の熱伝導部材３１で放熱された熱を上部ケース３の上方に伝達して放熱すると共に、取付溝部１１内に放熱するように構成されている。
【００５３】
この場合にも、取付溝部１１内には、実施形態１と同様、譜面立て部材１０の取付挿入部３０とこれに対向する取付溝部１１の内面との間に隙間Ｓを形成するためのリブ部２１が設けられている。これにより、取付溝部１１は、図１３に示すように、その内部に譜面立て部材１０の取付挿入部３０が挿入されても、この取付挿入部３０とこれに対向する取付溝部１１の内面との間に設けられた隙間Ｓによって、取付溝部１１内に放熱された熱を上部ケース３の上方に放熱するように構成されている。
【００５４】
次に、このような電子鍵盤楽器の放熱構造の作用について説明する。
この放熱構造では、譜面立て部材１０を用いずに演奏する場合は、実施形態１と同様に放熱する。また、上部ケース３の取付溝部１１に譜面立て部材１０を取り付けて演奏する場合には、実施形態１と同様に、回路基板１３で発熱した熱がヒートシンク１６によって放熱され、この放熱された熱が放熱板１７によって取付溝部１１における底部１２の開口部１２ａに向けて放熱される。
【００５５】
このときには、譜面立て部材１０の取付挿入部３０が上部ケース３の取付溝部１１内に挿入されており、取付挿入部３０の下端部に設けられた第１の熱伝導部材３１が、上部ケース３の取付溝部１１における底部１２の開口部１２ａを通して、放熱板１７に弾接しているので、放熱板１７で放熱された熱が第１の熱伝導部材３１に伝わる。この第１の熱伝導部材３１に伝わった熱は、第２の熱伝導部材３２に伝わり、この第２の熱伝導部材３２に伝達された熱は、上部ケース３の上方に伝達されて放熱される。
【００５６】
この場合にも、取付溝部１１内に設けられたリブ部２１によって、取付溝部１１の内面と譜面立て部材１０の取付挿入部１０ａとの間に隙間Ｓが形成されるので、放熱板１７、第１の熱伝導部材３１、および第２の熱伝導部材３２によって、取付溝部１１の内面と譜面立て部材１０の取付挿入部１０ａとの間の隙間Ｓに放熱された熱は、取付溝部１１内の隙間Ｓを通して上部ケース３の上方に放熱される。
【００５７】
このため、演奏中に回路基板１３が発熱しても、上述したように、その熱がヒートシンク１６、放熱板１７、第１の熱伝導部材３１、および第２の熱伝導部材３２を経て上部ケース３の上方に放熱されると共に、取付溝部１１内にも放熱される。この取付溝部１１内に放熱された熱は、譜面立て部材１０の取付挿入部１０ａとこれに対向する取付溝部１１の内面との間に設けられた隙間Ｓを通して上部ケース３の上方に放熱される。
【００５８】
このように、この電子鍵盤楽器の放熱構造によれば、実施形態１と同様の作用効果があるほか、譜面立て部材１０の取付挿入部３０の下端部における取付溝部１１の底部１２の開口部１２ａと対応する箇所に、柔軟性に富む熱伝導性エラストマからなる第１の熱伝導部材３１が設けられているので、譜面立て部材１０の取付挿入部３０が上部ケース３の取付溝部１１内に挿入された際に、放熱板１７を傷付けることなく、良好に第１の熱伝導部材３１を放熱板１７に弾接させることができると共に、この状態で放熱板１７から放熱された熱を第１の熱伝導部材３１によって確実に且つ良好に第２の熱伝導部材３２に伝達して放熱することができる。
【００５９】
また、譜面立て部材１０の取付挿入部３０における取付溝部１１の底部１２の開口部１２ａと対応する箇所には、第２の熱伝導部材３２が、取付挿入部３０の下部側から上部ケース３の取付溝部１１の上方に位置する箇所に亘って設けられているので、譜面立て部材１０の取付挿入部３０が上部ケース３の取付溝部１１内に挿入された状態でも、第１の熱伝導部材３１によって放熱された熱を、第２の熱伝導部材３２によって上部ケース３の上方に伝達して放熱することができる。
【００６０】
このため、回路基板１３で発生した熱を、実施形態１よりも、効率良く楽器ケース１の外部に放熱することができると共に、譜面立て部材１０を取り付けるための取付溝部１１を利用していることにより、実施形態１と同様、取付溝部１１における底部１２の開口部１２ａに指や手が触れ難くいため、火傷などの危険性が少なく、火傷などに対する安全性が高いほか、取付溝部１１における底部１２の開口部１２ａが外部から見え難いので、楽器ケース１の外観やデザインが損なわれることがなく、外観的にもデザイン的にも好ましいものを提供することができる。
【００６１】
なお、上述した実施形態２では、第２の熱伝導部材３２が単純なほぼ平板状に形成されている場合について述べたが、これに限らず、例えば図１７（ａ）および図１７（ｂ）に示す第２変形例のように、第２の熱伝導部材３２に複数のスリット孔３２ａを設けた構成であっても良い。このように構成すれば、第２の熱伝導部材３２の表面積を複数のスリット孔３２ａによって広くすることができるので、より一層、第２の熱伝導部材３２の放熱性を高めることができる。
【００６２】
また、上述した実施形態１、２およびその各変形例では、放熱板１７に多数の小孔２０を設けた場合について述べたが、必ずしも多数の小孔２０である必要はなく、１つまたは複数のスリット孔を設けた構成でも良く、また必ずしも放熱板１７に小孔２０やスリット孔などを設ける必要はなく、単純な平板状に形成されていても良い。
【００６３】
さらに、上述した実施形態１、２およびその各変形例では、楽器ケース１内に回路基板１３、１４をほぼ水平な状態で配置した場合について述べたが、必ずしも回路基板１３、１４をほぼ水平な状態で配置する必要はなく、例えば図１８に示す第３変形例のように、回路基板１３、１４を楽器ケース１内にほぼ垂直な状態で配置しても良い。この場合にも、回路基板１３に設けられたヒートシンク１６を上部ケース３の取付溝部１１における底部１２の開口部１２ａの下側に対応させて配置すれば良い。
【００６４】
なおまた、上述した実施形態１、２およびその各変形例では、電子鍵盤楽器に適用した場合について述べたが、必ずしも電子鍵盤楽器である必要はなく、鍵盤部を有しない電子楽器にも広く適用することができる。
【符号の説明】
【００６５】
１  楽器ケース
２  下部ケース
３  上部ケース
４  鍵盤部
１０  譜面立て部材
１０ａ、３０  取付挿入部
１１  取付溝部
１２  底部
１２ａ  開口部
１３  回路基板
１６  ヒートシンク
１７  放熱板
２０  小孔
２１  リブ部
２５  切欠け部
３１  第１の熱伝導部材
３２  第２の熱伝導部材
３２ａ  スリット孔
【図１】
0005548967.tif 000002
【図２】
0005548967.tif 000003
【図３】
0005548967.tif 000004
【図４】
0005548967.tif 000005
【図５】
0005548967.tif 000006
【図６】
0005548967.tif 000007
【図７】
0005548967.tif 000008
【図８】
0005548967.tif 000009
【図９】
0005548967.tif 000010
【図１０】
0005548967.tif 000011
【図１１】
0005548967.tif 000012
【図１２】
0005548967.tif 000013
【図１３】
0005548967.tif 000014
【図１４】
0005548967.tif 000015
【図１５】
0005548967.tif 000016
【図１６】
0005548967.tif 000017
【図１７】
0005548967.tif 000018
【図１８】
0005548967.tif 000019